(57)【要約】【課題】  基礎コンクリートの打設において鋼製の型枠を設置する際に、内側型枠を容易に浮かすことができ、繰り返し使用できる型枠支持工具を提供する。【解決手段】  型枠支持工具１０は、外部型枠１８と内部型枠２０の両上面１８ａ，２０ａに当接する内部型枠支持部２２と、内部型枠２０側の内部型枠支持部２２から下方に延設される内部型枠取付部２４とから構成される。内部型枠取付部２４には、嵌合穴２８が設けられている。内部型枠取付部２４の嵌合穴２８と内部型枠２０の突起部２６とを嵌合して、内部型枠取付部２４に内部型枠２０を取り付ける。これにより、内部型枠２０を浮かした状態の型枠１６を容易に設置することができる。また、型枠支持工具１０を繰り返し使用できる。【選択図】  図３
2020109227.tif 000002
【特許請求の範囲】
【請求項１】
底盤と立上りを一度で打設する基礎コンクリートの打設に用いる鋼製の型枠を支持する工具であって、外部型枠と内部型枠の両上面に当接する内部型枠支持部と、内部型枠側の内部型枠支持部から下方に延設される内部型枠取付部とからなり、内部型枠取付部に内部型枠の突起部に嵌める嵌合穴又は内部型枠の嵌合穴に嵌める突起部を設け、内部型枠取付部と内部型枠の突起部と嵌合穴を嵌合して内部型枠取付部に内部型枠を取り付け、内部型枠支持部を外部型枠及び内部型枠に当接させて取付けることにより、内部型枠を浮かすことを特徴する型枠支持工具。
【請求項２】
内部型枠支持部と外部型枠の当接部分を固定手段を用いて固定することを特徴とする請求項１記載の型枠支持工具。
【請求項３】
固定手段は、外部型枠に内部型枠支持部を留める鉤部であることを特徴する請求項２記載の型枠支持工具。
【発明の詳細な説明】
【技術分野】
【０００１】
本発明は、基礎コンクリート打設の際に鋼製の型枠を支持する型枠支持工具に関するものである。
【背景技術】
【０００２】
建築物の基礎工事では、基礎コンクリートの打設は、基礎の底盤（スラブ）部分と立上り部分に分けて行う方法と、底盤と立上りを一度で打設する一体打ち方法が用いられている。
【０００３】
底盤と立上りを一度で打設する一体打ち方法については、従来、木製の型枠に取り付ける木質系布基礎コンクリート立ち上がり部の仮枠取付方法が提供されていた（例えば、特許文献１）。
【先行技術文献】
【特許文献】
【０００４】
【特許文献１】特開昭５１−１５５２７号公報
【０００５】
特許文献１の木質系布基礎コンクリート立ち上がり部の仮枠取付方法は、木質系建造物施工において、布基礎コンクリート立上り部設置用の仮枠を取付けるに当り、基礎コンクリート設置部の一方の仮枠（外部型枠）の上端面にボルト打等により接着して仮設枠板を配し、この枠板を延ばして基礎コンクリート設置部の他方の仮枠（内部型枠）の外面部に配して釘打等により接着し、基礎コンクリート立上り部の仮枠を取付けるようにしたものである。基礎コンクリート立上り部分の内側に設置する型枠（内部型枠）を浮かして設置することで、立上り部のある基礎コンクリートを一度の型枠の取り付けで打設することができ、作業を省力化することができる。また、仮設枠板は繰り返し使用できることから、型枠工事は施工コストを軽減することができる。
【発明の概要】
【発明が解決しようとする課題】
【０００６】
現在、基礎コンクリート打設に使用される型枠に、打設後取り外しでき繰り返し使用できる鋼製のものが提供されているが、鋼製の型枠に、ボルト打ちや釘打ちによって取り付ける仮設枠板の取り付けは容易でなかった。そのため、立上りの型枠を取り付ける場合、内部型枠を浮かす支持金具（内部型枠の台座）を使用している。支持金具は、捨てコンクリートに固定され、内部型枠を支持した状態で打設が行われることから、打設後は底盤中に埋没する。支持金具は一回限り使用する消耗品であることから、鋼製の型枠を用いた型枠工事は施工コストがかかる工事となっていた。
【０００７】
本発明は、基礎コンクリートの打設において鋼製の型枠を設置する際に、内側型枠を容易に浮かすことができ、繰り返し使用できる型枠支持工具を提供することを目的とする。
【課題を解決するための手段】
【０００８】
本発明の型枠支持工具は、底盤と立上りを一度で打設する基礎コンクリートの打設に用いる鋼製の型枠を支持する工具であって、外部型枠と内部型枠の両上面に当接する内部型枠支持部と、内部型枠側の内部型枠支持部から下方に延設される内部型枠取付部とからなり、内部型枠取付部に内部型枠の突起部に嵌める嵌合穴又は内部型枠の嵌合穴に嵌める突起部を設け、内部型枠取付部と内部型枠の突起部と嵌合穴を嵌合して内部型枠取付部に内部型枠を取り付け、内部型枠支持部を外部型枠及び内部型枠に当接させて取付けることにより、内部型枠を浮かすようにしたものである。
また、内部型枠支持部と外部型枠の当接部分を固定手段を用いて固定するようにしたものである。
また、固定手段は、外部型枠に内部型枠支持部を留める鉤部であるようにしたものである。
【発明の効果】
【０００９】
本発明の型枠支持工具を用いて基礎コンクリート打設のため型枠を設置する場合、打設完了後に型枠支持工具を取り外すことができることから、型枠支持工具を繰り返し使用することができ、鋼製の型枠を用いた型枠工事の施工コストを軽減できる。
また、鋼製の外部型枠と鋼製の内部型枠への型枠支持工具の装着にボルトや釘を使用しないことから、型枠支持工具の装着・取り外しが極めて容易であり、従来より作業の省力化を図ることができる。
【図面の簡単な説明】
【００１０】
【図１】本発明の型枠支持工具の構造を表わす図である。
【図２】図１の型枠支持工具の使用状態を表わす図である。
【図３】図２（ｂ）のＡ−Ａ断面図である。
【図４】本発明の型枠支持工具の他の構造を表わす図である。
【図５】図４の型枠支持工具の使用状態を表わす図である。
【図６】本発明の型枠支持工具の他の構造と使用状態を表わす図である。
【発明を実施するための形態】
【００１１】
本発明は、基礎コンクリート打設の鋼製型枠の組立を簡易な作業でできることを実現するものである。
【実施例】
【００１２】
本発明の型枠支持工具を図に基づいて説明する。図１は、本発明の型枠支持工具の構造を表わす図であり、図（ａ）は型枠支持工具の正面図、図（ｂ）は右側面図である。図２は、図１の型枠支持工具の使用状態を表わす図であり、図（ａ）は型枠支持工具装着前の内部型枠を表わす図、図（ｂ）は型枠支持工具装着後の内部型枠を表わす図である。図３は、図２（ｂ）のＡ−Ａ断面図である。
なお、図３は、底盤と立上りを一度で打設するベタ基礎一体打ち方法による基礎工事の図であり、立上りを形成する外周部分の型枠の組立を表わす図である。また、本願において、外部型枠は、内部型枠の設置前に捨てコンクリート（いわゆる捨コン）上に設置されているものとする（図示せず）。
本発明の型枠支持工具１０は、基礎の底盤１２と立上り１４（基礎の立ち上がり部分）を一度で打設する基礎コンクリートの打設に用いる立上り１４の鋼製の型枠１６を支持する工具である（図３）。立上りの型枠１６は、外部型枠１８と内部型枠２０とから構成される。
型枠支持工具１０は、外部型枠１８と内部型枠２０の両上面１８ａ，２０ａ（天端）に当接する内部型枠支持部２２と、内部型枠２０側の内部型枠支持部２２から下方に延設される内部型枠取付部２４とから構成される（図１、図３）。
内部型枠２０の表面２０ｂ（打設の枠を形成する面の裏面）に突起部２６が設けられている場合（図２（ａ））は、内部型枠取付部２４に、内部型枠２０の突起部２６に嵌める嵌合穴２８を設ける（図１、図２（ｂ）、図３）。図１の型枠支持工具１０においては、嵌合穴２８を２箇所設けている。
内部型枠取付部２４の嵌合穴２８と内部型枠２０の突起部２６とを嵌合して、内部型枠取付部２４に内部型枠２０を取り付ける（図２、図３）。これにより、内部型枠２０を浮かして型枠１６を設置することができる（図３）。また、固定手段２９を用いて、外部型枠１８に内部型枠支持部２２を固定するようにしてもよい（図１、図３）。
【００１３】
上記実施例の内部型枠２０の突起部２６を図２及び図３に基づいて説明する。図２及び図３に記載の鋼製の型枠１６は、株式会社エヌ・エス・ピー製型枠（外部型枠１８「Ｓ３型パネルＳ３−８０  ９１０パネル」、内部型枠２０「Ｓ２型パネルＳ２−４５  ９１０パネル」）であり、型枠１６には、型枠連結金具３０、ピン状金具３２、補強板３４が設けられているものである。
図２（ａ）において、２枚の内部型枠２０は、Ｕ字状の型枠連結金具３０（ピン）によって内部型枠２０の隣り合う縦の辺２０ｃが挟持・固定された状態で連結されている。型枠連結金具３０の一端は、型枠連結金具３０を左右に移動させるピン状金具３２に連続している。ピン状金具３２の両端は、それぞれ内部型枠２０の縦の辺２０ｃに設けた嵌合穴２０ｄと、補強板３４に設けた嵌合穴３４ａに嵌められている。型枠連結金具３０が内部型枠２０を連結すると、ピン状金具３２は内部型枠２０の縦の辺２０ｃに固定されるとともに、ピン状金具３２の先端２６は内部型枠２０の嵌合穴２０ｄから突き出るようになっている（図２（ａ））。このように、図２の内部型枠２０には、突起部２６が形成されている。図１の型枠支持工具１０の内部型枠取付部２４の嵌合穴２８と内部型枠２０の突起部２６とを嵌合すると、内部型枠取付部２４に内部型枠２０が取り付けられる（図２（ｂ））。外部型枠１８と内部型枠２０の両上面１８ａ,２０ａに、内部型枠２０を取り付けた型枠支持工具１０の内部型枠支持部２２を当接させると、内部型枠２０を浮かした状態で型枠１６を設置することができる（図３）。外部型枠１８と内部型枠支持部２２の当接部分は固定手段２９で固定する（図３）。
なお、図３の型枠１６は、外部型枠１８と内部型枠２０の両上面１８ａ，２０ａは同じ高さに位置するようにしたものである。また、本実施例では、内部型枠２０の上面２０ａに内部型枠支持部２２を当接させた状態で、内部型枠取付部２４に内部型枠２０を取り付けているため（図２（ｂ））、外部型枠１８の上面１８ａに内部型枠支持部２２を当接させることにより、内部型枠２０を浮かした状態で型枠１６を設置することができる。
【００１４】
続いて、内部型枠２０に嵌合穴が設けられている場合の型枠１６の設置について、図４に基づいて説明する。図４は、本発明の型枠支持工具の他の構造を表わす図であり、図（ａ）は型枠支持工具の正面図、図（ｂ）は右側面図である。図５は、図４の型枠支持工具の使用状態を表わす図であり、図（ａ）は型枠支持工具装着前の内部型枠を表わす図、図（ｂ）は型枠支持工具装着後の内部型枠を表わす図である。
なお、図４及び図５の型枠支持工具３６を構成する内部型枠支持部２２と内部型枠取付部２４は、型枠支持工具１０の内部型枠支持部２２と内部型枠取付部２４と同一のものであるため、詳細な説明は省略する。
型枠支持工具３６は、型枠支持工具１０の嵌合穴２８に代えて、突起部３８を設けたものである（図４）。図５の内部型枠２０は、表面２０ｂに補強板４０が設けられているものである。補強板４０には、嵌合穴４０ａが形成されている（図５（ａ））。型枠支持工具３６の内部型枠取付部２４の突起部３８と、内部型枠２０の嵌合穴４０ａとを嵌合させることにより、内部型枠取付部２４に内部型枠２０が取り付けられる（図５（ｂ））。外部型枠１８、内部型枠２０の両上面１８ａ，２０ａ（天端）に内部型枠支持部２２を当接させる。これにより、内部型枠２０を浮かした状態で型枠１６を設置することができる。
【００１５】
また、図６（ａ）（ｂ）に示す型枠支持工具４２のように、内部型枠取付部２４に、型枠支持工具１０の嵌合穴２８と型枠支持工具３６の突起部３８とを設けてもよい。
図２の内部型枠２０の補強板３４に、嵌合穴３４ａと嵌合穴３４ａ以外の嵌合穴３４ｂが設けられている場合、型枠支持工具４２の突起部３８と嵌合穴３４ｂを嵌合することで、型枠支持工具４２に内部型枠２０を取り付けることができる。嵌合穴３４ｂが設けられる内部型枠２０の場合、型枠支持工具４２は、内部型枠２０の突起部２６や嵌合穴３４ｂのいずれにも装着できることから（図６（ｃ））、型枠支持工具４２を用いた型枠１６の組立は、２種類の型枠支持工具１０，３６を使い分けて行う型枠１６の組立よりも、組立作業時間を短縮できることから、型枠工事の工期短縮が可能となる。
なお、図６は型枠支持工具４２の構造を表わす図であり、図（ａ）は型枠支持工具４２の正面図、図（ｂ）は右側面図、図（ｃ）は型枠支持工具４２の装着後の内部型枠を表わす図である。
また、図６の型枠支持工具４２を構成する内部型枠支持部２２，内部型枠取付部２４，嵌合穴２８及び突起部３８は、型枠支持工具１０，３６の内部型枠支持部２２，内部型枠取付部２４，嵌合穴２８及び突起部３８と同一のものであるため、詳細な説明は省略する。
【００１６】
型枠支持工具１０，３６，４２の内部型枠取付部２４の嵌合穴２８（図１乃至図３、図６）、突起部３８（図４乃至図６）の形態や位置は、上例の説明や図面において例示する形態や位置に限定するものではない。内部型枠２０の突起部２６（図２及び図３、図６（ｃ））、嵌合穴４０ａ（図５）、嵌合穴３４ｂ（図６（ｃ））と嵌合する形態や位置にあれば足りる。
【００１７】
固定手段２９は、外部型枠１８に内部型枠支持部２２を留める鉤部であるようにしたものである（図１（ａ）、図３、図４（ａ）、図６（ａ））。なお、他の固定工具（例えば、シャコ万力など）で留めてもよい。
【００１８】
本発明の型枠支持工具は、鋼製の外部型枠や鋼製の内部型枠への装着にボルトや釘を使用しないことから、型枠への装着・取り外しが極めて容易であり、型枠工事の作業の省力化を図ることができる。また、打設完了後に型枠支持工具を取り外すことができることから、繰り返し使用することができ、鋼製の型枠を用いた型枠工事の施工コストを軽減できる。
【符号の説明】
【００１９】
１０、３６、４２  型枠支持工具
１２  底盤
１４  立上り
１６  型枠
１８  外部型枠
２０  内部型枠
１８ａ、２０ａ  上面
２２  内部型枠支持部
２４  内部型枠取付部
２６  内部型枠の突起部
２８  型枠支持工具の嵌合穴
２９  固定手段
３４ｂ、４０ａ  内部型枠の嵌合穴
３８  型枠支持工具の突起部
【図１】
2020109227.tif 000003
【図２】
2020109227.tif 000004
【図３】
2020109227.tif 000005
【図４】
2020109227.tif 000006
【図５】
2020109227.tif 000007
【図６】
2020109227.tif 000008
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
底盤と立上りを一度で打設する基礎コンクリートの打設に用いる鋼製の型枠を支持する工具であって、外部型枠と内部型枠の両上面に当接する内部型枠支持部と、内部型枠側の内部型枠支持部から下方に延設される内部型枠取付部とからなり、内部型枠取付部に内部型枠の突起部に嵌める嵌合穴又は内部型枠の嵌合穴に嵌める突起部を設け、内部型枠取付部と内部型枠の突起部と嵌合穴を嵌合して内部型枠取付部に内部型枠を取り付け、内部型枠支持部を外部型枠及び内部型枠に当接させて取付け、内部型枠支持部と外部型枠の当接部分を外部型枠に内部型枠支持部を留める鉤部を用いて固定することにより、内部型枠を浮かすことを特徴とする型枠支持工具。
【手続補正２】
【補正対象書類名】明細書
【補正対象項目名】０００８
【補正方法】変更
【補正の内容】
【０００８】
本発明の型枠支持工具は、底盤と立上りを一度で打設する基礎コンクリートの打設に用いる鋼製の型枠を支持する工具であって、外部型枠と内部型枠の両上面に当接する内部型枠支持部と、内部型枠側の内部型枠支持部から下方に延設される内部型枠取付部とからなり、内部型枠取付部に内部型枠の突起部に嵌める嵌合穴又は内部型枠の嵌合穴に嵌める突起部を設け、内部型枠取付部と内部型枠の突起部と嵌合穴を嵌合して内部型枠取付部に内部型枠を取り付け、内部型枠支持部を外部型枠及び内部型枠に当接させて取付け、内部型枠支持部と外部型枠の当接部分を外部型枠に内部型枠支持部を留める鉤部を用いて固定することにより、内部型枠を浮かすようにしたものである。